(57)【要約】【課題】大豆を、コンバインによる大豆種子の好ましい脱穀収穫が容易に実現できるような姿にして栽培する。【解決手段】大豆Ｂが、花芽ができる前の時期まで成長するか、或いは開花の時期まで成育したとき、この大豆Ｂにおける茎の最上端部を剪定する。【選択図】                      図１
2004267018.tif 000002
【特許請求の範囲】
【請求項１】
田畑に播種して発芽するか又は田畑に苗植した大豆が、花芽ができる前の時期まで成長するか、或いは開花の時期まで成育したとき、この大豆における茎の最上端部を、剪定することを特徴とする大豆の栽培方法。
【請求項２】
田畑に播種して発芽するか又は田畑に苗植付した多数本の大豆が、花芽ができる前の時期まで成長するか、或いは開花の時期まで成育したとき、この各大豆における茎の最上端部を、当該各大豆における地面からの草丈を揃えるように剪定することを特徴とする大豆の栽培方法。
【請求項３】
前記請求項２の記載において、多数本の大豆についての剪定を、地面に接地する車輪に水平方向に延びるように支持したバリカン式刈刃機構にて行うことを特徴とする大豆の栽培方法。
【発明の詳細な説明】
【０００１】
【発明の属する技術分野】
本発明は、田畑において大豆を栽培する方法に関するものである。
【０００２】
【従来の技術と発明が解決しようとする課題】
最近、田畑において栽培した大豆において、その大豆種子の収穫は、例えば、特許文献１に記載されている自走自脱式のコンバインを使用することによって、前記大豆を田畑から刈り取りながら脱穀してその大豆種子のみを篩分けて収穫するというコンバイン方式で行われている。
【０００３】
このコンバインによる大豆種子の収穫に際しては、この収穫が高い収穫率で且つ確実にできるようにするためには、大豆の栽培に際して、大豆種子の落ちこぼれを少なくことのために、その地面から豆果までの高さを高くすることが必要であるとともに、確実な刈取を可能にすることのために、大豆が地面に対して倒れないようにすることが必要である。更に、前記刈取を更に好ましくするためには、大豆における地面から最上端部までの草丈を揃えることが必要である。
【０００４】
本発明は、大豆を、コンバインによる大豆種子の好ましい脱穀収穫が容易に実現できるような姿にして栽培する方法を提供することを技術的課題とする。
【０００５】
【特許文献１】
特開２０００−３０００５７号公報
【０００６】
【課題を解決するための手段】
この技術的課題を達成するため本発明の請求項１は、
「田畑に播種して発芽するか又は田畑に苗植した大豆が、花芽ができる前の時期まで成長するか、或いは開花の時期まで成長したとき、この大豆における茎の最上端部を、剪定する。」
ことを特徴としている。
【０００７】
また、本発明の請求項２は、
「田畑に播種して発芽するか又は田畑に苗植した多数本の大豆が、花芽ができる前の時期まで成長するか、或いは開花の時期まで成長したとき、この各大豆における茎の最上端部を、当該各大豆における地面からの草丈を揃えるように剪定する。」
ことを特徴としている。
【０００８】
更にまた、本発明の請求項３は、
「前記請求項２の記載において、多数本の大豆についての剪定を、地面に接地する車輪に水平方向に延びるように支持したバリカン式刈刃機構にて行う。」
ことを特徴としている。
【０００９】
【発明の実施の形態】
田畑に播種して発芽するか又は田畑に苗植した大豆が、当該大豆に花芽ができる前の時期まで成長するか、或いは、開花の時期まで成長したときにおいて、前記大豆における茎の最上端部を剪定することにより、大豆における茎の成長が、当該大豆における先端部を剪定しない場合よりも、大幅に促進される。
【００１０】
この茎の大幅な成長により、当該茎のうち地面から植立する部分の主茎が、太くなるとともに長くなるように大きく成長する。
【００１１】
このような主茎の成長により、大豆が、大豆種子の収穫ができる状態にまで成育したときにおいて、地面から豆果までの高さが大幅に高くなる一方、主茎が太くなることで倒れ難くなるから、風等によって倒れることを大幅に減少できる。
【００１２】
一方、前記した剪定は、花芽ができる前の時期まで成長するか、或いは、開花の時期まで成長した時期において行うことにより、この剪定により枝茎ができて、花芽の数が多くなるから、前記した剪定に起因して大豆における結実数が減少することがないのである。
【００１３】
次に、図１及び図２は、田畑における多数本の大豆を一斉に剪定する場合に使用する走行型剪定機１を示す。
【００１４】
この走行型剪定機１は以下のように構成されている。
【００１５】
すなわち、下端に大径の前車輪３と小径の後車輪４とを備えた支柱フレーム２を左右一対配設し、この両支柱フレーム２の間に、水平フレーム５を、前記支柱フレーム２に沿って昇降可能に装架し、この水平フレーム５の下面に、水平方向に延びるバリカン式刈刃機構６を設ける一方、前記水平フレーム５の上面に、送風フアン７と、この送風フアン７及び前記刈刃機構６を駆動するエンジン８を搭載したものに構成されている。
【００１６】
この走行型剪定機１を、前記水平フレーム５から方向に向かって斜め上向きに延びるハンドル９を握って押しながら矢印Ａの方向に前進走行し、この状態で、前記バリカン式刈刃機構６を、エンジン８にて駆動することにより、田畑において成長する多数本の各大豆Ｂにおける茎の最上端部を、当該各大豆Ｂにおける地面Ｃからの草丈Ｈを略一定に揃えるように剪定することができる。
【００１７】
この剪定により、多数本の各大豆Ｂは、地面Ｃからの最上端までの草丈が略同じに揃うようにして成長することになる。
【００１８】
なお、前記走行型剪定機１は、前記両支柱フレーム２に設けたねじ軸１０をハンドル１１にて回すことにより、前記水平フレーム５が昇降して、前記刈取る草丈Ｈを増減調節できるように構成されている。
【００１９】
また、左右両車輪間におけるトレッドＴは、一方の支柱フレーム２（左右一対の支柱フレームのうち前進方向に向かって左側に位置する支柱フレーム）から突出するブラケット棒１２を水平フレーム４に対して摺動自在に差し込むことによって、増減調節できるように構成されている。
【００２０】
更にまた、前記バリカン式刈刃機構６にて刈り取った茎又は葉等は、前記エンジン８にて駆動される送風フアン７にて発生した風を、ダクト１３及び複数本のノズル１４を介して前記バリカン式刈刃機構６の上面側に噴出することにより、この風によって吹き飛ばすように構成されている。
【００２１】
【発明の効果】
以上の通り、本発明によると、田畑に播種して発芽するか又は田畑に苗植した大豆が、花芽ができる前の時期まで成長するか、或いは開花の時期まで成長したとき、この大豆における茎の最上端部を剪定することにより、大豆を、大豆種子の収穫量の減少を招来することなく、コンバインによる大豆種子の好ましい脱穀収穫が容易に実現できるような姿にして栽培することができる。
【００２２】
また、多数本の各大豆における茎の最上端部を、当該各大豆における地面からの草丈を揃えるように剪定することにより、多数本の各大豆における地面からの最上端までの草丈が略同じに揃うことになるから、コンバインによる大豆種子の好ましい脱穀収穫がより容易に実現できるような姿にして栽培することができる。
【００２３】
更にまた、前記したように、多数本の大豆についての剪定を、地面に接地する車輪に水平方向に延びるように支持したバリカン式刈刃機構にて行うことにより、前記剪定の作業性を大幅に向上できる利点がある。
【図面の簡単な説明】
【図１】走行型剪定機を示す側面である。
【図２】前記走行型剪定機の平面図である。
【符号の説明】
１                    走行型剪定機
２                    支柱フレーム
３，４                車輪
５                    水平フレーム
６                    バリカン式刈刃機構
Ｂ                    大豆
Ｃ                    地面
【図１】
2004267018.tif 000003
【図２】
2004267018.tif 000004